(57)【要約】【課題】ランプは外接電源を必要とせず、発光素子を発光させることができ、ランプは固定装置を利用し、確実に物件表面上に定位させることができる携帯式手動発電ランプを提供する。【解決手段】携帯式手動発電ランプは、ランプ座、発電素子、発光回路、連接素子、及び、固定装置からなる。ランプ座は本体と蓋からなる。発電素子はギアボックス、発電モーター、蓄電池、及び、レバーからなる。発光回路は回路板と若干の発光素子からなる。固定装置は制御素子と固定素子からなる。発電素子はランプ座中に設置され、レバーによりギアボックスを揺動させて発電モーターが電力を生成して発光回路に供給し、連接素子がランプ座頂端に設置され、固定装置が底端に設置される。【選択図】図２
0003133237.tif 000002
【実用新案登録請求の範囲】
【請求項１】
携帯式手動発電ランプであって、ランプ座、発電素子、発光回路、連接素子、及び、固定装置からなり、前記ランプ座は本体と蓋からなり、前記発電素子はギアボックス、発電モーター、蓄電池、及び、レバーからなり、前記発光回路は回路板と若干の発光素子からなり、前記固定装置は制御素子と固定素子からなり、前記発電素子は前記ランプ座の本体の容置槽内に結合され、前記蓋により蓋合固定され、且つ、前記本体一側辺壁上は柄槽、及び、穿孔を有し、前記柄槽と前記穿孔は発電素子のレバーを設置し、又、蓋上に制御スイッチを伸出する通孔を有し、下方中央に透過状の槽口を設置し、前記発電素子のレバーは前記ランプ座の本体の穿孔を穿過し、前記ギアボックスを連接し、前記ギアボックスは前記発電モーターを連動し、前記発電モーターは蓄電池により前記発光回路に接設され、前記発光回路の回路板は、前記本体の容置槽と前記発電素子に結合され、電源線により前記本体頂端を延伸し、前記発光素子と接設し、且つ、前記回路板上に制御スイッチを有し、前記固定装置の制御素子は前記ランプ座の容置槽内に設置され、槽口から伸出し、前記固定素子は前記ランプ座本体底端から上に置入され、柱体により前記ランプ座本体を穿過し、前記制御素子と枢組連動することを特徴とする携帯式手動発電ランプ。
【請求項２】
前記ランプ座上方一側に充電装置を設置し、前記充電装置は前記蓄電池と相接することを特徴とする請求項１に記載の携帯式手動発電ランプ。
【請求項３】
前記連接素子は撓曲定形する撓性管で、前記発光回路の電源線を包覆し、また、頂端にカバーを設置し、前記発光素子を中に固定することを特徴とする請求項１に記載の携帯式手動発電ランプ。
【請求項４】
前記連接素子は細長い棒状で、前記発光素子を底端の周縁外側に設置し、頂端はリングを有するカバーを設置することを特徴とする請求項１に記載の携帯式手動発電ランプ。
【請求項５】
前記固定装置の固定素子は吸盤であることを特徴とする請求項１に記載の携帯式手動発電ランプ。
【請求項６】
前記固定装置の固定素子は磁石であることを特徴とする請求項１に記載の携帯式手動発電ランプ。
【請求項７】
前記固定装置の固定素子は配重ブロックであることを特徴とする請求項１に記載の携帯式手動発電ランプ。
【考案の詳細な説明】
【技術分野】
【０００１】
本考案は携帯式手動発電ランプに関し、特に、手動による人力発電で、外接電源が不要、携帯に便利な発電ランプに関する。
【背景技術】
【０００２】
現在、ランプは主に、挟具上に撓曲定形する撓曲管を設置し、撓曲管末端に発光素子を設置し、発光素子は電源線により撓曲管を挟具外まで穿過し、コンセントにより電源を外接するものである。しかし、実際の応用上、以下のような問題がある。１．電源線により電源を外接して発光素子が発光時に必要な電力を供給するので、空間と電源線の長さに限度があり、また、電源線使用時、絡まる。２．挟具は挟設固定するものであるが、挟設する物件が厚い時、挟設が円滑に行えず、滑脱することがある。
【考案の開示】
【考案が解決しようとする課題】
【０００３】
本考案は、携帯式手動発電ランプを提供し、発電素子上のレバーによりギアボックスを回転させて、モーターを発電させ、ランプは外接電源を必要とせず、故に、空間上の制限を受けず、携帯を便利にすることを目的とする。
【０００４】
本考案は、携帯式手動発電ランプを提供し、ランプは外接電源を必要としないので、電源線がなく、電源線が絡まる問題をなくすことをもう一つの目的とする。
【０００５】
本考案は、携帯式手動発電ランプを提供し、ランプは固定時、物件の厚さの影響を受けず、確実に吸付、或いは、安定した配置で、適用性に優れ、定位力を確かにすることを最後の目的とする。
【課題を解決するための手段】
【０００６】
本構造は、ランプ座、発電素子、発光回路、連接素子、及び、固定装置からなる。ランプ座は本体と蓋からなる。発電素子はギアボックス、発電モーター、蓄電池、及び、レバーからなる。発光回路は回路板と若干の発光素子からなる。固定装置は制御素子と固定素子からなる。
【考案の効果】
【０００７】
本考案により、ランプは外接電源を必要とせず、空間上の制限を受けず、携帯を便利で、また、電源線がないので電源線が絡まる問題をなくし、ランプは固定時、物件の厚さの影響を受けず、確実に吸付、或いは、安定した配置で、適用性に優れ、定位力を確かにする、という長所が得られる。
【考案を実施するための最良の形態】
【０００８】
図１、図２を参照すると、本構造は、ランプ座１０、発電素子２０、発光回路３０、連接素子４０、及び、固定装置５０からなる。ランプ座１０は本体１１と蓋１２からなる。発電素子２０はギアボックス２１、発電モーター２２、蓄電池２３、及び、レバー２４からなる。発光回路３０は回路板３１と若干の発光素子３２からなる。固定装置５０は制御素子５１と固定素子５２からなる。
【０００９】
図３で示されるように、発電素子２０はランプ座１０の本体１１の容置槽１１１内に結合され、蓋１２により蓋合固定される。本体１１頂端は一組接段１１２を有し、連接素子４０を組設し、一側辺壁上は柄槽１１３、及び、穿孔１１４（図４）を有し、柄槽１１３と穿孔１１４は発電素子２０のレバー２４を設置する。蓋１２上に制御スイッチ３１１を伸出する通孔１２１を有し、下方中央に透過状の槽口１２２を設置する。発電素子２０のレバー２４はランプ座１０の本体１１の穿孔１１４を穿過し、ギアボックス２１を連接し、ギアボックス２１は発電モーター２２を連動する。発電モーター２２は蓄電池２３により発光回路３０に接設される。レバー２４は湾曲、折り畳み可能で、折り畳み後は起立し回転できる。穿孔１４４によりギアボックス２１を制御し、ギアボックス２１により発電モーター２２を快速回転させて発電させ、生成された電力は蓄電池２３により発光回路２０に供給されるか、或いは、直接、貯存される。発光回路３０の回路板３１は本体１１頂端に延伸し、発光素子３２と接設し、発光素子３２はランプ、或いは、LEDランプで、回路板３１上に制御スイッチ３１１を有し、発光素子３２の発光と消滅を制御する。連接素子４０は撓曲定形可能な撓曲管で、発光回路３０の電源線を包覆して保護する。頂端はカバー４１を設置し、発光素子３２を内に固定し、固定装置５０の制御素子５１は本体１１の容置槽１１１内に設置され、槽口１２２から伸出する。固定素子５２は本体１１底端から上に置入され、柱体５２１により本体１１を穿過し、制御素子５１と枢組連動する。固定素子５２は吸盤、磁石、或いは、配重ブロック等で、制御素子５１が下に移動する時、固定素子５２に吸力か磁力を生成させて、物体表面上に固定するか、或いは、固定素子５２自身の重量を利用して、ランプを堅固に配置する。
【００１０】
図４で示されるように、実際の使用時、レバー２４は本体１１の柄槽１１３から湾曲し、レバー２４は連続回転し、レバー２４によりギアボックス２１を帯動して、ギアボックス２１が発電モーター２２を快速回転させて発電させ、電力が蓄電池２３に供給されて貯存される。制御スイッチ３１１を押す時、電力は電源線により発光素子３２に導通し、発光素子３２が発光して照明を提供すると共に、連接素子４０は撓曲定形するので、故に使用時に適度に照明角度や位置を調整できる。
【００１１】
発電モーター２２が生成する電力は蓄電池２３内に保存されており、照明使用時、レバー２４をずっと回転させる必要なく、蓄電池２３内に保存された電力が無くなるとき、再度、回転発電すればよい。
【００１２】
照明の過程中、ランプを固定したい場合、槽口１２２から下向けに制御素子５１を移動させ、固定素子５２が上に帯動して変形し、真空力を生成するか（図５）、或いは、固定素子５２が磁力を生成して物件表面上に吸付し、且つ、吸力か磁力で吸付する時、物件の厚さの影響を受けず、確実に吸付し、故に適用性に優れ、定位力が確実である。
【００１３】
図６で示されるように、ランプ座１０上方一側に充電装置１３を設置し、充電装置１３は蓄電池２３と連接し、ランプは充電器を利用して蓄電池２３を充電し、使用時に必要な電力を保存する。図７、図８で示されるように、連接素子４０は細長い棒状で、発光素子３２は底端の周縁外側に設置され、透明殻体により囲覆される。カバー４１頂端はリング４１１を形成し、使用時、リング４１１により物件上に掛け、ランプを懸吊し、且つ、発光素子３２発光時、光線は上に伝動し、カバー４１の折射により散発され、ランプが小ランプの形態になる。
【００１４】
上述のような構造により、以下のような効果が達成される。１．発電素子２０上のレバー２４によりギアボックス２１を回転させて、モーター２２を発電させ、ランプは外接電源を必要とせず、故に、空間上の制限を受けず、携帯を便利になる。２．ランプは外接電源を必要としないので、電源線がなく、電源線が絡まる問題をなくす。３．ランプは固定時、物件の厚さの影響を受けず、確実に吸付、或いは、安定した配置で、適用性に優れ、定位力を確かにする。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１６】
【図１】本考案の立体組み合わせ図である。
【図２】本考案の立体分解図である。
【図３】本考案の局部組み合わせ断面図である。
【図４】本考案の発電状態図である。
【図５】本考案の物件表面上に固定した状態図である。
【図６】本考案の充電装置を設置した状態図である。
【図７】本考案のもう一つの実施例による立体外観透視図である。
【図８】本考案のもう一つの使用状態図である。
【符号の説明】
【００１７】
１０    ランプ座
１１    本体
１１１  容置槽
１１２  組接段
１１３  柄槽
１１４  穿孔
１２    蓋
１２２  槽口
１３    充電装置
２０    発電素子
２１    ギアボックス
２２    発電モーター
２３    蓄電池
２４    レバー
３０    発光回路
３１    回路板
３１１  制御スイッチ
３２    発光素子
４０    連接素子
４１    カバー
４１１  リング
５０    固定装置
５１    制御素子
５２    固定素子
５２１  柱体
【図１】
0003133237.tif 000003
【図２】
0003133237.tif 000004
【図３】
0003133237.tif 000005
【図４】
0003133237.tif 000006
【図５】
0003133237.tif 000007
【図６】
0003133237.tif 000008
【図７】
0003133237.tif 000009
【図８】
0003133237.tif 000010